(57)【要約】【課題】  ケーブルを介して携帯装置と接続し、マイク付リモコンに備えるマイクロフォンとヘッドホンによって他の電話装置と通話を行ったり、マイクロフォンから周囲の音声信号を録音するマイク付きヘッドホン装置において、ケーブルが衣類や靴等に触れたり、また、擦れることによってマイクロフォンに生じるタッチノイズを低減することができるマイク付きヘッドホン装置を提供する。【解決手段】  ヘッドホン及び携帯装置とそれぞれケーブルにより接続し、周囲の音声を集音するマイクロフォンを備えるマイク付リモコンを備え、  前記マイク付リモコンは、弾性体により形成され内壁に断面が凸状を形成した複数の凸部６０２を放射状に備え前記ケーブルを挿入する孔を備えるブッシングを備えることを特徴とする。【選択図】      図２
2011211459.tif 000002
【特許請求の範囲】
【請求項１】
ケーブルを介して携帯装置と接続しマイクを介して携帯装置に音声を入力するマイク付きヘッドホン装置において、
ヘッドホン及び携帯装置とそれぞれケーブルにより接続し、周囲の音声を集音するマイクロフォンを備えるマイク付リモコンを備え、
前記マイク付リモコンは、弾性体により形成され内壁に断面が凸状を形成した複数の凸部６０２を放射状に備え前記ケーブルを挿入する孔を備えるブッシングを備えることを特徴とするマイク付きヘッドホン装置。
【請求項２】
請求項１記載のマイク付きヘッドホン装置において、
前記ブッシングは、円筒形を形成することを特徴とするマイク付きヘッドホン装置。
【請求項３】
請求項１記載のマイク付きヘッドホン装置において、
前記ブッシングは、直方体を形成し、
前記孔は、上下に貫通し湾曲を形成していることを特徴とするマイク付きヘッドホン装置。
【発明の詳細な説明】
【技術分野】
【０００１】
本発明は、ケーブルを介して携帯装置と接続し、当該携帯装置からから出力されたオーディオ信号をヘッドホンから出力すると共に、マイクを介して携帯装置に音声を入力し、音声をヘッドホンから出力することによって他の電話装置と通話を行うことができるマイク付きヘッドホン装置に関する。
【背景技術】
【０００２】
近年、オーディオ信号を再生する機能と携帯電話の機能とを備えた携帯装置が普及している（例えば、特許文献１参照）。これらの携帯装置においては、携帯装置とマイク付きヘッドホン装置を接続し、使用者がオーディオ信号を聴取する場合は、携帯装置が再生したオーディオ信号をヘッドホンから聴取し、また、使用者が電話をしたい場合は、マイク付リモコンに備えるマイクを介して携帯装置に自己の音声を入力すると共に、ヘッドホンから相手側の音声を聴取することによって通話を行うことができる。
【０００３】
図５は、従来のマイク付きヘッドホン装置を示す概略構成図である。
マイク付きヘッドホン装置１００は、ヘッドホン２、入出力端子７及びマイク付リモコン３００を備え、マイク付リモコン３００はケーブル５によってヘッドホン２及び入出力端子７と接続される。マイク付リモコン３００は、操作部３０１、マイクロフォン３０２及びクリップ３０３を備える。入出力端子７は、携帯装置４のコネクター端子４０３に接続される。携帯装置４は、内部に再生部４０１及び携帯電話部４０２を備える。
【０００４】
操作部３０１は、操作により、マイク付リモコン３００に備える制御部（図示しない）を介して携帯装置４にオーディオ信号の再生を指示する再生指示信号及び電話による通話を指示する通話指示信号を出力する。携帯装置４は、操作部３０１からオーディオ信号の再生指示信号が出力されると、再生部４０１からオーディオ信号を出力する。再生部４０１から出力されたオーディオ信号は、ケーブル５及びマイク付リモコン３００を介してヘッドホン２に出力され、ヘッドホン２からオーディオ信号が放音される。
【０００５】
また、携帯装置４は、操作部３０１から通話指示信号が出力されると、携帯電話部４０２による他の電話装置との通信を開始する。携帯装置４は、携帯電話部４０２による他の電話装置との通信が開始されると、他の電話装置からの音声信号をケーブル５及びマイク付リモコン３００を介してヘッドホン２から放音すると共に、マイクロフォン３０２が集音する音声信号を入力し、入力した音声信号を他の電話装置に出力する。
【０００６】
以上の構成により、マイク付きヘッドホン装置１００の使用者は、例えば、ヘッドホン２を耳に装着し、洋服のポケットの縁等をクリップ３０３に挟み込んでマイク付リモコン３００を固定した状態で、操作部３０１を操作して再生指示信号を出力することにより、携帯装置４から出力されるオーディオ信号をヘッドホン２によって聴取することができ、また、操作部３０１を操作して通話指示信号を出力することにより、携帯装置４が行う他の電話装置との通信により、相手側の音声をヘッドホン２によって聞きながら、マイクロフォン３０２に自己の音声を入力することによって通話をすることができる。
【先行技術文献】
【特許文献】
【０００７】
【特許文献１】特開２００４−２７４５１１号公報
【発明の概要】
【発明が解決しようとする課題】
【０００８】
前述したように、マイク付きヘッドホン装置１００の使用者が、例えば、洋服のポケット等にマイク付リモコン３００を固定し、ヘッドホン２を耳に装着した状態で、他の電話装置との通話を行っている場合、ケーブル５が衣類や靴等に接触したり、また、擦れたりすることがある。ケーブル５が衣類や靴等に接触したり擦れたりすると、ケーブル５に振動が発生し、この振動がマイク付リモコン３００に伝達する。マイク付リモコン３００に伝達した振動は、マイク付リモコン３００に備えるマイクロフォン３０２にも伝達し、この振動によってタッチノイズが生じ、他の電話装置には、使用者の音声信号に混じってタッチノイズが伝達されることとなる。
【０００９】
このように、マイク付きヘッドホン装置１００によって、他の電話装置と通話を行う場合に、ケーブル６が衣類や靴等に触れたり、また、擦れることによってタッチノイズが生じると、他の電話装置に出力する音声信号の音質が著しく低下してしまい、通話している他の電話装置の使用者に不快感を与えることになる。
【００１０】
また、従来の携帯装置には、予め内部に記録媒体を備え、前述したマイク付リモコン３００のマイクロフォン３０２から入力した周囲の音声信号を、記録媒体に録音する音声録音機能を備えたものがある。このような音声録音機能を備えた携帯装置の場合は、マイクロフォン３０２から周囲の音声信号を入力し、入力した音声信号を記録媒体に録音しておくことによって、後日、携帯装置の記録媒体に録音した音声信号を再生させることができる。しかしながら、前述したように、周囲の音声信号を録音している最中に、ケーブル６が衣類や靴等に触れたり、また、擦れることによってタッチノイズが生じると、マイクロフォンが集音する音声信号にタッチノイズが生じてしまい、録音した周囲の音声信号の音質が著しく低下してしまうことになる。
【００１１】
本発明は、ケーブルを介して携帯装置と接続し、マイク付リモコンに備えるマイクロフォンとヘッドホンによって他の電話装置と通話を行ったり、マイクロフォンから周囲の音声信号を録音するマイク付きヘッドホン装置において、ケーブルが衣類や靴等に触れたり、また、擦れることによってマイクロフォンに生じるタッチノイズを低減することができるマイク付きヘッドホン装置を提供することを目的とする。
【課題を解決するための手段】
【００１２】
本願の請求項１記載の発明は、ケーブルを介して携帯装置と接続しマイクを介して携帯装置に音声を入力するマイク付きヘッドホン装置において、ヘッドホン及び携帯装置とそれぞれケーブルにより接続し、周囲の音声を集音するマイクロフォンを備えるマイク付リモコンを備え、前記マイク付リモコンは、弾性体により形成され内壁に断面が凸状を形成した複数の凸部６０２を放射状に備え前記ケーブルを挿入する孔を備えるブッシングを備えることを特徴とする。
【００１３】
本願の請求項２記載の発明は、請求項１記載のマイク付きヘッドホン装置において、前記ブッシングは、円筒形を形成することを特徴とする。
【００１４】
本願の請求項３記載の発明は、請求項１記載のマイク付きヘッドホン装置において、前記ブッシングは、直方体を形成し、前記孔は、上下に貫通し湾曲を形成していることを特徴とする。
【発明の効果】
【００１５】
本発明によれば、ケーブルを介して携帯装置と接続し、マイク付リモコンに備えるマイクロフォンとヘッドホンによって他の電話装置と通話を行ったり、マイクロフォンから周囲の音声信号を録音するマイク付きヘッドホン装置において、ケーブルが衣類や靴等に触れたり、また、擦れることによってマイクロフォンに生じるタッチノイズを低減することができるマイク付きヘッドホン装置を提供することができる。
【図面の簡単な説明】
【００１６】
【図１】本発明の第１実施例のマイク付きヘッドホン装置を示す概略構成図。
【図２】本発明の第１実施例のマイク付きヘッドホン装置１を示す図で、図２（ａ）はマイク付リモコン３の断面図、図２（ｂ）は図２（ａ）のＡ−Ａ断面図。
【図３】本発明の第１実施例のマイク付きヘッドホン装置１を示すマイク付リモコン３の断面図。
【図４】本発明の第２実施例のマイク付きヘッドホン装置１を示すマイク付リモコン３の断面図。
【図５】従来のヘッドホン装置を示す概略構成図。
【発明を実施するための形態】
【００１７】
本発明の実施の形態を図面を参照して説明する。なお、背景技術又は図５で示した構成要素と同一の部分については同符号を用いる。
【００１８】
図１は、本発明の第１実施例のマイク付きヘッドホン装置を示す概略構成図である。
マイク付きヘッドホン装置１は、ヘッドホン２、マイク付リモコン３、ブッシング６及び入出力端子７を備える。マイク付リモコン３はケーブル５によってヘッドホン２及び入出力端子７と接続される。マイク付リモコン３は、内部が空洞の箱型を形成したケース部３０６を備え、ケース部３０６の上面に操作部３０１、マイクロフォン３０２を備え、下面にクリップ３０３を備え、内部に基板３０４及び制御部３０５を備える。入出力端子７は、携帯装置４のコネクター端子４０３に接続される。携帯装置４は、内部に再生部４０１及び携帯電話部４０２を備える。
【００１９】
図２は、本発明の第１実施例のマイク付きヘッドホン装置１を示す図で、図２（ａ）はマイク付リモコン３の断面図、図２（ｂ）は図２（ａ）のＡ−Ａ断面図である。
図２に示すマイク付リモコン３においては、上方向をマイク付リモコン３の前方とし、下方向をマイク付リモコン３の後方とする。また、図２においては、上方向のケーブル５がヘッドホン２と接続され、また、下方向のケーブル５が携帯装置４と接続されているものとする。
【００２０】
図２（ａ）に示すように、マイク付リモコン３は、前端部分及び後端部分にそれぞれブッシング６を備える。ブッシング６は、ゴム部材等の弾性体から成り、内部に孔６０１を備えた円筒形を形成し、接着剤によりケース部３０６に固定されている。ケース部３０６は、ブッシング６が固定されている前端部分及び後端部分にそれぞれ孔３０７を備える。ブッシング６の孔６０１の内径は、孔３０７の内径よりも僅かに小さい。
【００２１】
ヘッドホン２と接続されたケーブル５と入出力端子７と接続されたケーブル５は、それぞれケース部３０６の前端部分及び後端部分にそれぞれ備えたブッシング６の孔６０１及びケース部３０６の孔３０７に挿入される。ケース部３０６の前端部分及び後端部分にそれぞれ備えたブッシング６の孔６０１及びケース部３０６の孔３０７に挿入されたケーブル５の一端からは、それぞれリード線５０１が突出した状態とされ、このリード線５０１は基板３０４にそれぞれ半田付けされる。基板３０４は、ケース部３０６の内壁に固定されたブラケット３０８に固定されることによりケース部３０６の内部に固定される。基板３０４は、マイクロフォン３０２、制御部３０５及びリード線５０１を電気的に接続する。制御部３０５は、後述する操作部３０１からの指示信号に応じて携帯装置４を制御する。
【００２２】
図２（ｂ）に示すように、ブッシング６は、孔６０１の内壁に断面が凸状を形成した複数の凸部６０２を放射状に備える。ブッシング６に挿入されたケーブル５の外周部分は、ブッシング６の凸部６０２に保持された状態となる。
【００２３】
操作部３０１は、操作により、マイク付リモコン３に備える基板３０４及び制御部３０５を介して携帯装置４にオーディオ信号の再生を指示する再生指示信号及び電話による通話を指示する通話指示信号を出力する。携帯装置４は、操作部３０１からオーディオ信号の再生指示信号が出力されると、制御部３０５の制御により、再生部４０１からオーディオ信号を出力する。再生部４０１から出力されたオーディオ信号は、ケーブル５及びマイク付リモコン３の基板３０４を介してヘッドホン２に出力され、ヘッドホン２からオーディオ信号が放音される。
【００２４】
また、携帯装置４は、操作部３０１から通話指示信号が出力されると、制御部３０５の制御により、携帯電話部４０２による他の電話装置との通信を開始する。携帯装置４は、携帯電話部４０２による他の電話装置との通信が開始されると、他の電話装置からの音声信号をケーブル５及びマイク付リモコン３の基板３０４を介してヘッドホン２から放音すると共に、マイクロフォン３０２が集音する音声信号を基板３０４を介して入力し、入力した音声信号を他の電話装置に出力する。
【００２５】
以上の構成により、マイク付きヘッドホン装置１の使用者は、例えば、ヘッドホン２を耳に装着し、洋服のポケットの縁等をクリップ３０３に挟み込んでマイク付リモコン３を固定した状態で、操作部３０１を操作して再生指示信号を出力することにより、携帯装置４から出力されるオーディオ信号をヘッドホン２によって聴取することができ、また、操作部３０１を操作して通話指示信号を出力することにより、携帯装置４が行う他の電話装置との通信により、相手側の音声をヘッドホン２によって聞きながら、マイクロフォン３０２に自己の音声を入力することによって通話をすることができる。
【００２６】
図３は、本発明の第１実施例のマイク付きヘッドホン装置１を示すマイク付リモコン３の断面図である。
図３に示すマイク付リモコン３においては、上方向をマイク付リモコン３の前方とし、下方向をマイク付リモコン３の後方とする。また、図３においては、上方向のケーブル５がヘッドホン２と接続され、また、下方向のケーブル５が携帯装置４と接続されているものとする。
【００２７】
前述したように、マイク付きヘッドホン装置１の使用者が、例えば、洋服のポケット等にマイク付リモコン３を固定し、ヘッドホン２を耳に装着した状態で、他の電話装置との通話を行っている場合、ケーブル５が衣類や靴等に接触したり、また、擦れたりすると、ケーブル５に振動が発生する。ケーブル５に生じた振動は、マイク付リモコン３のケース部３０６、ブラケット３０８及び基板３０４を介してマイクロフォン３０２にも伝達しようとするが、ブッシング６に挿入されたケーブル５は、ブッシング６の内壁に備える凸部６０２によって外周部分が保持されていることから、ブッシング６の有する弾性力によって、ケース部３０６に伝達する振動を減衰させ、振動がケース部３０６に伝達するのを防止する。この結果、ケーブル５に生じた振動がマイク付リモコン３のケース部３０６、ブラケット３０８及び基板３０４を介してマイクロフォン３０２に伝達することを防止する。
【００２８】
以上のように、本発明の第１実施例のマイク付きヘッドホン装置１は、マイク付きヘッドホン装置１の使用者が、例えば、洋服のポケット等にマイク付リモコン３を固定し、ヘッドホン２を耳に装着した状態で、他の電話装置との通話を行っている場合、ケーブル５が衣類や靴等に接触したり、また、擦れたりしてケーブル５に振動が発生しても、ケーブル５の振動によって生じるタッチノイズによってマイクロフォン３０２が集音する音声信号にタッチノイズが生じてしまい、集音した音声信号の音質が著しく低下してしまうことを防止することができる。
【００２９】
また、本発明の第１実施例のマイク付きヘッドホン装置１は、予め内部に記録媒体を備え、マイク付リモコン３のマイクロフォン３０２から入力した周囲の音声信号を、記録媒体に録音する音声録音機能を備えた携帯装置を用いた場合、ケーブル５が衣類や靴等に接触したり、また、擦れたりしてケーブル５に振動が発生しても、ケーブル５の振動によって生じるタッチノイズによってマイクロフォンが集音する音声信号にタッチノイズが生じてしまい、録音した周囲の音声信号の音質が著しく低下してしまうことを防止することができる。
【００３０】
本発明の第１実施例のマイク付きヘッドホン装置１は、ケース部３０６の内部に制御部３０５を備える構成としたが、操作部３０１からの指示信号を携帯装置４によって制御する場合は、制御部３０５を備えない構成としても良い。また、本発明の第１実施例のマイク付きヘッドホン装置１は、マイク付リモコン３に操作部３０１を備える構成としたが、携帯装置４に操作部３０１を備え、操作部３０１に備えた操作部３０１によって操作可能な場合は、マイク付リモコン３に操作部３０１を備えない構成としても良い。これにより、マイク付きヘッドホン装置１の製造コストを低減させることができる。
【００３１】
本発明の第１実施例のマイク付きヘッドホン装置１は、ヘッドホン２と接続するケーブル５の一端と携帯装置４と接続するケーブル５の一端のそれぞれにブッシング６を備える構成としたが、ヘッドホン２と接続するケーブル５が衣類や靴等に接触したり、また、擦れたりすることがない場合は、ヘッドホン２と接続するケーブル５の一端にブッシング６を備えない構成としても良い。これにより、マイク付きヘッドホン装置１の製造コストを低減させることができる。
【００３２】
次に、本発明のマイク付きヘッドホン装置の第２実施例について説明する。
【００３３】
第２実施例におけるマイク付きヘッドホン装置は、ブッシング６の構成以外は、第１実施例の構成と同じであるため、詳細な説明は省略する。
【００３４】
図４は、本発明の第２実施例のマイク付きヘッドホン装置におけるマイク付リモコン３を示す断面図である。
図４に示すマイク付リモコン３においては、上方向をマイク付リモコン３の前方とし、下方向をマイク付リモコン３の後方とする。また、図４においては、上方向のケーブル５がヘッドホン２と接続され、また、下方向のケーブル５が携帯装置４と接続されているものとする。
【００３５】
図４に示すように、マイク付リモコン３は、両端にそれぞれブッシング６０を備える。ブッシング６０は、ゴム部材等の弾性体から成り、直方体を形成し、内部に上下に貫通し湾曲を形成した湾曲孔６１０を備え、接着剤によりケース部３０６に固定されている。ケース部３０６は、ブッシング６０が固定されている前端部分及び後端部分にそれぞれ孔３０７を備える。ブッシング６０の湾曲孔６１０の内径は、孔３０７の内径よりも僅かに小さい。
【００３６】
ヘッドホン２と接続されたケーブル５と入出力端子７と接続されたケーブル５は、それぞれケース部３０６の前端部分及び後端部分にそれぞれ備えたブッシング６０の湾曲孔６１０及びケース部３０６の孔３０７に挿入される。ケース部３０６の前端部分及び後端部分にそれぞれ備えたブッシング６０の湾曲孔６１０及びケース部３０６の孔３０７に挿入されたケーブル５の一端からは、それぞれリード線５０１が突出した状態とされ、このリード線５０１は基板３０４にそれぞれ半田付けされる。基板３０４は、ケース部３０６の内壁に固定されたブラケット３０８に固定されることによりケース部３０６の内部に固定される。
【００３７】
ブッシング６０は、第１実施例で説明したのと同様、図２（ｂ）に示すように、湾曲孔６１０の内壁に断面が凸状を形成した複数の凸部６０２を放射状に備える。ブッシング６０に挿入されたケーブル５の外周部分は、ブッシング６の湾曲孔６１０に備える凸部６０２に保持された状態となる。
【００３８】
マイク付きヘッドホン装置１の使用者は、洋服のポケット等にマイク付リモコン３を固定し、ヘッドホン２を耳に装着した状態で、他の電話装置との通話を行っている場合、腕や肩などで不用意にケーブル５を引っ張ってしまうと、ケーブル５に軸方向の張力が生じる。ケーブル５に生じた軸方向の張力は、マイク付リモコン３のケース部３０６にも伝達し、ブッシング６０を介してマイク付リモコン３を引っ張ろうとするが、ブッシング６０の湾曲孔６１０が湾曲状に延在していることから、ブッシング６０の有する弾性力によって湾曲孔６１０が変形し、ケーブル５に生じた張力がケース部３０６に伝達するのを防止する。この結果、ケーブル５に生じた軸方向の張力がケース部３０６に伝達し、この張力によってケース部３０６に振動が生じ、この振動がブラケット３０８及び基板３０４を介してマイクロフォン３０２に伝達してノイズが発生してしまうことを防止する。
【００３９】
以上のように、本発明の第２実施例のマイク付きヘッドホン装置１は、マイク付きヘッドホン装置１の使用者が、例えば、洋服のポケット等にマイク付リモコン３を固定し、ヘッドホン２を耳に装着した状態で、他の電話装置との通話を行っている場合、腕や肩などで不用意にケーブル５を引っ張ってしまい、ケーブル５に軸方向の張力が生じても、ケーブル５が引っ張られることによってノイズが生じてしまい、集音した音声信号の音質が著しく低下してしまうことを防止することができる。
【００４０】
また、本発明の第２実施例のマイク付きヘッドホン装置１は、予め内部に記録媒体を備え、マイク付リモコン３のマイクロフォン３０２から入力した周囲の音声信号を、記録媒体に録音する音声録音機能を備えた携帯装置を用いた場合、腕や肩などで不用意にケーブル５を引っ張ってしまい、ケーブル５に軸方向の張力が生じても、ケーブル５が引っ張られることによってノイズが生じてしまい、録音した周囲の音声信号の音質が著しく低下してしまうことを防止することができる。
【００４１】
本発明の第２実施例のマイク付きヘッドホン装置１は、内部に上下に貫通し湾曲を形成したブッシング６０に湾曲孔６１０を備える構成としたが、例えば、直角に屈曲した孔を備え、この孔にケーブル５を挿入する構成としたり、また、複数の波状に湾曲した孔を形成し、この孔にケーブル５を挿入する構成としても良い。これにより、ブッシング６０の概観を任意のデザインにすることができ、ヘッドホン装置１の概観を良質なものにすることができる。また、湾曲孔６１０を直角に屈曲した孔にしたり、複数の波状に湾曲した孔にすることによって、ケーブル５に生じたタッチノイズや軸方向の張力を一層減衰することが期待できる。
【００４２】
本発明の第２実施例のマイク付きヘッドホン装置１は、ヘッドホン２と接続するケーブル５の一端と携帯装置４と接続するケーブル５の一端のそれぞれにブッシング６０を備える構成としたが、ヘッドホン２と接続するケーブル５が衣類や靴等に接触したり、また、擦れたりすることがない場合は、ヘッドホン２と接続するケーブル５の一端にブッシング６０を備えない構成としても良い。これにより、マイク付きヘッドホン装置１の製造コストを低減させることができる。
【産業上の利用可能性】
【００４３】
本発明は、ケーブルを介して携帯装置と接続し、当該携帯装置からから出力されたオーディオ信号をヘッドホンから出力すると共に、マイクを介して携帯装置に音声を入力し、音声をヘッドホンから出力することによって他の電話装置と通話を行うことができるマイク付きヘッドホン装置に有用に用いることができる。
【符号の説明】
【００４４】
１  マイク付きヘッドホン装置、２  ヘッドホン、
３  マイク付リモコン、３０１  操作部、３０２  マイクロフォン、
３０３  クリップ、３０４  基板、３０５  制御部、３０６  ケース部、
３０７  孔、３０８  ブラケット、
４  携帯装置、４０１  再生部、４０２  携帯電話部、４０３  コネクター端子、
５  ケーブル、５０１  リード線、
６  ブッシング、６０１  孔、６０２  凸部、
７  入出力端子、
６０  ブッシング、６１０  湾曲孔、
１００  マイク付きヘッドホン装置、３００  マイク付リモコン
【図１】
2011211459.tif 000003
【図２】
2011211459.tif 000004
【図３】
2011211459.tif 000005
【図４】
2011211459.tif 000006
【図５】
2011211459.tif 000007